(57)【要約】【課題】地磁気等の外部磁界、特に管軸成分の地磁気の影響によるミスランディング量を少なくし、画面全体において、色ずれや色むらが少ない陰極線管を提供する。【解決手段】対向して配置された略台形状の一対の長辺側板と、対向して配置された略台形状の一対の短辺側板とが略四角錐面の一部を形成するよう組み合わされた構成であり、さらに、略台形状である一対の長辺側板１０ａの下側底辺に接続された長辺スカート１３を備えた内部磁気シールド１０を有し、長辺スカート１３はフレーム７の側壁７ｃに平行で、パネル方向に延びるように設けられ、長辺スカート１３の先端部１３ａは、シャドウマスク６よりパネルの逆側に存在し、長辺スカート１３の先端部１３ａとシャドウマスク６との管軸方向に沿った距離が６ｍｍ以下である。【選択図】  図４
2005158600.tif 000002
【特許請求の範囲】
【請求項１】
パネルおよびファンネルからなる外囲器と、前記パネルの内面に形成された蛍光体スクリーンと、前記蛍光体スクリーンに対向して配置されたシャドウマスクと、前記シャドウマスクを保持するフレームと、前記ファンネル内に設置された内部磁気シールドとを有する陰極線管であって、
前記内部磁気シールドは、対向して配置された略台形状の一対の長辺側板と、対向して配置された略台形状の一対の短辺側板とが略四角錐面の一部を形成するよう組み合わされた構成であり、略台形状である前記一対の長辺側板の下側底辺に接続された長辺スカートを備え、
前記長辺スカートは前記フレームの側壁に平行で、前記パネル方向に延びるように設けられ、
前記長辺スカートの先端部は、前記シャドウマスクより前記パネルの逆側に存在し、前記長辺スカートの先端部と前記シャドウマスクとの管軸方向に沿った距離が６ｍｍ以下であることを特徴とする陰極線管。
【請求項２】
前記長辺スカートと前記フレームとは接合されている、請求項１に記載の陰極線管。
【請求項３】
前記フレームは、前記シャドウマスクと略平行に設置されたフランジ部を備え、
前記フランジ部が前記内部磁気シールドと非接触である、請求項１に記載の陰極線管。
【発明の詳細な説明】
【技術分野】
【０００１】
本発明は、地磁気などの外部磁界による電子ビームのミスランディングが少ない陰極線管に関する。
【背景技術】
【０００２】
一般的なカラー陰極線管の発光原理について簡単に説明する。電子銃である電子ビーム出射手段から発射された電子ビームが、シャドウマスクに形成されている電子ビーム通過用の細孔を通って、電子ビームのランディング点である蛍光体にあたることで、赤、緑、青の決められたいずれかの色が発光される。なお、蛍光体は、パネルの内側に設置されている。
【０００３】
このようなカラー陰極線管は、例えばテレビジョン受像機等に用いられている。ここで、地球上には地磁気などの外部磁界が存在しているため、カラー陰極線管は地磁気などの外部磁界による影響を受ける。すなわち、カラー陰極線管に地磁気などの外部磁界が作用すると、電子ビームはローレンツカを受けて歪曲する。その結果、電子ビームが蛍光体の所定の位置に到達しない、いわゆるミスランディングが生じる。この結果、カラー陰極線管においては、色ずれなどの好ましくない現象が生じ、表示画像の品位を低下させる。これを防止するため、一般的には、カラー陰極線管内部に電子ビームの通過経路を囲むように内部磁気シールドが設けられている。
【０００４】
内部磁気シールドにより、色ずれなどが生じない方向の磁界に地磁気を変換する方法が種々提案されている（例えば、特許文献１参照）。図８は、従来の磁気シールド構体１００の構成を示す斜視図である。磁気シールド構体１００は、内部磁気シールド１０１とフレーム１０９を備えている。図８に示しているように、従来の内部磁気シールド１０１は、略台形状の対向する一対の長辺側板１０２と、略台形形状の対向する一対の短辺側板１０３とが組み合わされた略四角錐面で構成されている。この四角錐の頂部には電子ビームが通過するための開ロ部１０４が形成されている。さらに、短辺側板１０３の開口部１０４側には略台形状の切り欠き部１０５が形成されている。
【０００５】
従来の内部磁気シールド１０１において、長辺側板１０２の下底には長辺スカート１０６が設置され、短辺側板１０３の下底には短辺スカート１０７が設置されている。長辺スカート１０６と、短辺スカート１０７とは、シャドウマスク（図示せず）を保持しているフレーム１０９の側壁１０９ａに沿って設置されている。図９は、図８のＢ−Ｂ´矢視断面図である。図９に示しているように、内部磁気シールド１０１の長辺スカート１０６は側壁１０９ａに沿って側壁１０９ａに接するように設置されている。図９に示しているように、フレーム１０９は、フランジ部１１０を備え、シャドウマスク１０８を保持している。
【０００６】
さらに他に、内部磁気シールドにより、電子ビーム軌道へ漏れ出る磁束を低減する方法が提案されている（例えば、特許文献２参照）。図１１は、他の従来の内部磁気シールド１１１の長辺スカート１１６とフレーム１１９との構成を示す断面図である。図１１に示すように、長辺スカート１１６は、フレーム１１９の側壁１１９ａに対して平行に設置され、シャドウマスク１１８方向に延長され、かつ長辺スカート１１６と側壁１１９ａとは距離を有し、離れて設置されている。このような構成とすることで、フレーム１１９のフランジ部１２０から漏れ出す磁束を減少させることができる。
【０００７】
陰極線管の地磁気に対してのシールド性能評価は、地磁気相当の磁界を陰極線管の外部から印加し、そのときの蛍光体における電子ビームのランディング変化量を測定することによって行われる。図７は、陰極線管の表示画面の位置を示すための模式図である。図７を用いて、ランディング変化量の測定点の一例について説明する。例えば、図７に示すように、画面７０の長辺部の上下中央部（以下、ＮＳ部７３という）と、画面７０のコーナ部７１と、ＮＳ部７３およびコーナ部７１の中間点（以下、ＮＮＥ部７２という）を測定点とする。
【０００８】
ところで、ストライプ型蛍光面を有するカラー陰極線管の場合、電子ビームのミスランディングは、電子ビームが水平方向（以下、Ｘ軸方向という）に受けるローレンツカＦｘによって生じる。このローレンツカＦｘは、垂直方向（以下、Ｙ軸方向という）および管軸方向（以下、Ｚ軸方向という）の磁界によって電子ビームに及ぼされる。ローレンツ力Ｆｘ（Ｎ）は、電子の電荷量をｅ（Ｃ）、Ｙ軸方向の磁束密度をＢｙ（Ｔ）、Ｙ軸方向の電子ビームの速度をＶｙ（ｍ/ｓ）、Ｚ軸方向の磁束密度をＢｚ（Ｔ）、Ｚ軸方向の電子ビームの速度をＶｚ（ｍ/ｓ）として、下記（１）式によって表記される。
【０００９】
Ｆｘ＝ｅ×（Ｂｙ×Ｖｚ−Ｂｚ×Ｖｙ）            （１）
ここで、Ｙ軸方向の電子ビームの速度Ｖｙ（ｍ/ｓ）及びＺ軸方向の電子ビームの速度Ｖｚ（ｍ/ｓ）は、電子ビームの動作電圧と偏向角とによって決定される。画面表示における色ずれを防止するためには、電子ビームがＸ軸方向に受けるローレンツカＦｘ（Ｎ）を小さくすればよい。そのためには、（１）式より、Ｙ軸方向の磁束密度ＢｙとＺ軸方向の磁束密度Ｂｚ（Ｔ）とのバランスを調整すればよい。さらに付け加えると、電子ビームのミスランディング量は、偏向中心から蛍光体までの電子ビームの軌道上で電子ビームが受けるローレンツ力Ｆｘ（Ｎ）の積分値で決定される。
【００１０】
ここで、陰極線管の構造上、電子ビームの軌道を確保する必要があるため、Ｚ軸方向の磁界は内部磁気シールドによって完全に遮蔽することはできない。したがって、Ｚ軸方向の地磁気がかかった場合、磁束の多くは遮蔽されないために、Ｚ軸方向の磁束密度Ｂｚ（Ｔ）が大きくなってしまう。この場合、（１）式において、電子ビームがＸ軸方向に受けるローレンツカＦｘ（Ｎ）を小さくするためには、Ｂｚ項：（Ｂｚ×Ｖｙ）を打ち消すだけのＢｙ項：（Ｂｙ×Ｖｚ）を作り出す必要がある。特許文献１等の従来技術によって、図７における画面７０のコーナ部７１に到達する電子ビーム軌道においては、Ｂｚ項：（Ｂｚ×Ｖｙ）を打ち消すだけのＢｙ項：（Ｂｙ×Ｖｚ）を作り出すことができる。しかし、画面７０のＮＳ部７３およびＮＮＥ部７２においては、Ｂｚ項：（Ｂｚ×Ｖｙ）を打ち消すのに十分なＢｙ項：（Ｂｙ×Ｖｚ）を作り出すことが実現されていなかった。
【００１１】
本発明者らは、特許文献１および２に開示されている陰極線管について種々検討した。まず、図８に示されているような、特許文献１に開示されている陰極線管の磁気シールド構体１００に関し、その内部磁気シールド１０１の短辺側板１０３に設けられた切り欠き部１０５の作用について検討した。以下、この検討内容について説明する。
【００１２】
一般的に、地磁気方向に沿った磁性体の端部において磁性体の磁極が発生する。陰極線管においても同様に、磁性体からなる、内部磁気シールド１０１、シャドウマスク１０８（図９参照）およびフレーム１０９で構成される磁気シールド構体１００の端部には磁極が発生する。磁極には磁束の向きを変える作用がある。例えばＺ軸方向の地磁気が陰極線管に印加された場合、そのＺ軸方向成分の一部がＹ軸方向の磁束に変換される（その磁束の強さは磁束密度Ｂｙ（Ｔ）で表される）。特に、内部磁気シールド１０１における、開口部１０４側端には強い磁極が発生するので、磁束密度Ｂｙ（Ｔ）の絶対値は大きい。
【００１３】
一方、地磁気方向に沿った磁性体の中央部には磁極がほとんど生じない。そのため、磁性体の中央部は磁束の向きを変える力が弱い。したがって、磁気シールド構体１００のＺ軸方向の中央部においては、上述の内部磁気シールド１０１の開口部１０４側端に比べ、Ｙ軸方向の磁束密度Ｂｙ（Ｔ）の絶対値は小さい。
【００１４】
なお、シャドウマスク１０８面の近傍においても磁極は発生するが、内部磁気シールド１０１の開口部１０４側端に比べてＹ軸方向の磁束密度Ｂｙ（Ｔ）の絶対値は小さい。これは、シャドウマスク１０８が磁束を吸収するためであり、それにより、空間へ漏れ出す磁束が小さくなるためである。
【００１５】
図８に示されているように従来の陰極線管においては、内部磁気シールド１０１の短辺側板１０３の開口部１０４側に切り欠き部１０５が形成されている。そのため、その切り欠き部１０５が磁気シールド構体１００の端部となり、切り欠き部１０５には磁極が発生する。
【００１６】
磁極が電子ビーム軌道に沿って設けられていることによって、電子ビーム軌道上におけるＹ軸方向の磁束密度Ｂｙ（Ｔ）の積分値の絶対値が大きくなり、（１）式のＢｚ項：（Ｂｚ×Ｖｙ）を打ち消すように作用する。なお、この場合、磁束密度Ｂｙ（Ｔ）の積分値の符号は負である。
【００１７】
したがって、画面７０のコーナ部７１（図７参照）に到達する電子ビームの軌道に沿って短辺側板１０３に略台形状の切り欠き部１０５を設けることにより、コーナ部７１に到達する電子ビームの軌道上の磁束密度Ｂｙ（Ｔ）の積分値の絶対値を大きくすることができる。その結果、画面７０のコーナ部７１においては地磁気のＺ軸方向成分の影響を小さくすることができ、色ずれなどの問題が回避される。
【００１８】
これに対し、画面７０のＮＳ部７３（図７参照）に到達する電子ビームの軌道は、短辺側板１０３に設けられた切り欠き部１０５から遠く離れている。そのため、ＮＳ部７３に到達する電子ビームにおいては、（１）式におけるＢｚ項：（Ｂｚ×Ｖｙ）を打ち消すだけのＢｙ項：（Ｂｙ×Ｖｚ）が発生しない。同様に画面７０のＮＮＥ部７２（図７参照）に到達する電子ビームの軌道も、切り欠き部１０５から離れているため、（１）式におけるＢｚ項：（Ｂｚ×Ｖｙ）を打ち消すだけのＢｙ項：（Ｂｙ×Ｖｚ）が発生しない。
【００１９】
以上の考察に関して行った実験結果について説明する。図１０は、従来の陰極線管におけるシャドウマスクから測った電子ビーム軌道上の位置と地磁気の管軸方向（Ｚ軸方向）成分に対する比率との関係を示すグラフである。従来の陰極線管には、図８に示す磁気シールド構体１００を備えた陰極線管を用いた。この陰極線管は、内部磁気シールド１０１の短辺側板１０３に切り欠き部１０５が形成されている。
【００２０】
図１０の縦軸である、地磁気の管軸成分ＢZ0（Ｔ）に対する磁束密度Ｂｙ（Ｔ）の比率（Ｂｙ／ＢZ0×１００（％））とは、地磁気の管軸（Ｚ軸）成分ＢZ0（Ｔ）に対する磁束密度Ｂｙ（Ｔ）のパーセンテージである。具体的には、Ｂｙ／ＢZ0×１００（％）で求められる値である。また、図１０の横軸である、シャドウマスク１０８（図９参照）から測った管軸方向における電子ビーム軌道上の位置とは、シャドウマスク１０８面から偏向中心までの距離を１００％とした場合の、シャドウマスク１０８面から電子銃側に向う電子ビームのＺ軸方向における距離をパーセンテージで示している。なお、内部磁気シールド構体１００内は、０〜８０％の範囲である。
【００２１】
図１０において、実線で示されているのが画面の右下であるコーナ部に到達する電子ビーム軌道における磁束密度の比率であり、破線で示されているのが画面の中央部下側であるＮＳ部に到達する電子ビーム軌道における磁束密度の比率である。
【００２２】
図１０に示すように、コーナ部に到達する電子ビーム軌道においては、（１）式におけるＢｚ項：（Ｂｚ×Ｖｙ）を打ち消す作用を持つＢｙ項：（Ｂｙ×Ｖｚ）が大きくなるので、コーナ部には色ずれは発生しない。しかし、ＮＳ部に到達する電子ビーム軌道においては、Ｂｚ項：（Ｂｚ×Ｖｙ）を打ち消すだけのＢｙ項：（Ｂｙ×Ｖｚ）が得られないので色ずれが発生する。
【００２３】
次に、図１１に示されているような、特許文献２に開示されている陰極線管に関し、その内部磁気シールド１１１の長辺スカート１１６の作用について検討した。以下その検討結果について説明する。
【００２４】
内部磁気シールド１１１の長辺スカート１１６をフレーム１１９の側壁１１９ａに対して平行にパネル方向（Ｚ軸方向）へ延長し、かつ長辺スカート１１６をフレーム１１９ａから距離を離すことによって、フレーム１１９のフランジ部１２０から漏れ出す磁束を減少させることができる。
【００２５】
このフランジ部１２０の位置は、前述の図１０の横軸において１０％の位置に相当するため、図１０よりＹ軸方向の磁束の向きが正であることがわかる。このＹ軸方向の磁束密度Ｂｙ（Ｔ）の積分値が正であるならば、（１）式におけるＢｚ項：（Ｂｚ×Ｖｙ）を助長するように作用する。そのため、フランジ部１２０から漏れ出す磁束が減少することは望ましい現象である。
【００２６】
しかし、特許文献２の陰極線管の構造では、電子ビーム軌道上におけるＹ軸方向の磁束密度Ｂｙ（Ｔ）の積分値（この場合、符号は負である）が逆に減少する。これは、図１０の横軸において８０％の位置に相当する。つまり、磁束密度Ｂｙ（Ｔ）の負の成分が最も大きくなる。これは、図１０の横軸において８０％の位置に相当する内部磁気シールド１１１の電子銃側端部（つまり、磁束密度Ｂｙ（Ｔ）の負の成分が最も大きくなる位置）における磁極が、長辺スカート１１６がフレーム１１９から離れていることにより、弱くなるためである。
【特許文献１】特開２００２−１８４３１９号公報
【特許文献２】特開平１０−２４７４５９号公報
【発明の開示】
【発明が解決しようとする課題】
【００２７】
上述のように、従来の陰極線管においては、特にカラー陰極線管に管軸方向の地磁気が作用した時、図７に示す画面７０のＮＳ部７３および画面７０のＮＮＥ部７２において、ミスランディング量が増大することによる色ずれが生じることが問題となっていた。このような傾向は、シャドウマスクにテンションを与えた方式のカラー陰極線管においてはより顕著になる。なぜならば、シャドウマスクにテンションを加えることで、シャドウマスクの磁気特性が磁気歪によって低下して、電子ビーム軌道上への漏れ磁束が増加するためである。近年、パネルが平面であるカラー陰極線管にはシャドウマスクにテンションを与えた、テンションマスク方式を採用する場合が多い。そのため、地磁気による色ずれ問題を解決することは極めて重要である。
【００２８】
本発明は、上記問題を解決するためになされたものであり、地磁気等の外部磁界、特に管軸成分の地磁気の影響によるミスランディング量を少なくし、画面全体において、色ずれや色むらが少ない陰極線管を提供することを目的とする。
【課題を解決するための手段】
【００２９】
前記目的を達成するために、本発明の陰極線管は、パネルおよびファンネルからなる外囲器と、前記パネルの内面に形成された蛍光体スクリーンと、前記蛍光体スクリーンに対向して配置されたシャドウマスクと、前記シャドウマスクを保持するフレームと、前記ファンネル内に設置された内部磁気シールドとを有する陰極線管であって、前記内部磁気シールドは、対向して配置された略台形状の一対の長辺側板と、対向して配置された略台形状の一対の短辺側板とが略四角錐面の一部を形成するよう組み合わされた構成であり、略台形状である前記一対の長辺側板の下側底辺に接続された長辺スカートを備え、前記長辺スカートは前記フレームの側壁に平行で、前記パネル方向に延びるように設けられ、前記長辺スカートの先端部は、前記シャドウマスクより前記パネルの逆側に存在し、前記長辺スカートの先端部と前記シャドウマスクとの管軸方向に沿った距離が６ｍｍ以下であることを特徴とする。
【発明の効果】
【００３０】
本発明の陰極線管によれば、電子ビームのミスランディングが抑えられ、色ずれの発生を防止することができる。
【発明を実施するための最良の形態】
【００３１】
本実施の形態の陰極線管によれば、内部磁気シールドの電子銃側端部における磁極が強くなる構成である。それにより、地磁気等の外部磁界（特に管軸成分の地磁気）による電子ビームへの影響を少なくでき、電子ビームの歪曲により生じるミスランディング量を少なくすることができる。それにより、画面全体において、色ずれや色むらを少なくすることができる。
【００３２】
また、好ましくは、前記長辺スカートと前記フレームとは接合されている。それにより、シャドウマスクと長辺フレームと内部磁気シールドを一体化することができる。そのため、内部磁気シールドの電子銃側端部における磁極が強くなり、地磁気等の外部磁界による電子ビームへの影響を少なくできる。したがって、電子ビームの歪曲により生じるミスランディング量を少なくすることができる。それにより、画面全体において、色ずれや色むらを少なくすることができる。
【００３３】
また、好ましくは、前記フレームは、前記シャドウマスクと略平行に設置されたフランジ部を備え、前記フランジ部が前記内部磁気シールドと非接触である。それにより、フランジ部から電子ビーム軌道上の空間へ磁束が漏れ出すことを防ぐことができる。それにより、画面全体において、色ずれや色むらを少なくすることができる。
【００３４】
以下、本発明のさらに具体的な実施の形態について説明する。
【００３５】
図１は、本発明の実施の形態に係る陰極線管１の構成を示す、管軸を通る上下方向の断面図である。なお、本明細書において、管軸方向はＺ軸方向とし、水平方向はＸ軸方向とし、鉛直方向はＹ軸方向とする。
【００３６】
図１に示すように、パネル２とファンネル３とが一体化されて外囲器４が形成されている。パネル２の内面には蛍光体スクリーン５が形成され、それに密着してアルミニウム薄膜層（図示せず）が形成されている。蛍光体スクリーン５から離間し、かつこれに対向してシャドウマスク６が設置されている。シャドウマスク６はフレーム７に架張されることで保持されている。フレーム７は、その外側壁面に設置された板バネ状の弾性支持体（図示せず）を、パネル２内面に植設されたパネルピン（図示せず）に掛止することでパネル２に保持されている。ファンネル３のネック部には電子銃８が内蔵されている。ファンネル３の外周面上には偏向ヨーク９が設けられている。偏向ヨーク９は、電子銃８から出射される電子ビーム１１を水平方向および垂直方向に偏向させる働きがある。偏向された電子ビーム１１が、蛍光体スクリーン５上を走査することでパネル２の画面に画像が表示される。外囲器４内部であって、管軸方向（Ｚ軸方向）においてフレーム７と偏向ヨーク９との間の領域には、内部磁気シールド１０が設置されている。
【００３７】
図２は、シャドウマスク６が架張されたフレーム７と内部磁気シールド１０と、画面の有効面外へ到達する余分な電子ビームをトリミングするためのエレクトロンシールド１２とを含む磁気シールド構体１５の分解斜視図である。
【００３８】
フレーム７は、所定距離だけ離間して平行に配置された一対の長辺フレーム７ａと、所定距離だけ離間して配置された一対の短辺フレーム７ｂとを含んでいる。長辺フレーム７ａは、板状の金属を断面が略Ｌ字状に折り曲げて形成される。短辺フレーム７ｂは四角柱形状の金属柱を略コの字状に折り曲げて形成される。一対の長辺フレーム７ａの側面に一対の短辺フレーム７ｂを図２に示すように、略矩形枠状になるように設置し、接合部を溶接することでフレーム７が構成される。さらに、一対の長辺フレーム７ａの蛍光体スクリーン（図示せず）側、すなわち、図２において下側の自由端に、シャドウマスク６が架張されている。
【００３９】
内部磁気シールド１０は、対向して配置された略台形状の一対の長辺側板１０ａと、対向して配置された略台形状の一対の短辺側板１０ｂとが略四角錐面の一部を形成するよう組み合わされた構成である。内部磁気シールド１０は、台形状である長辺側板１０ａの下底側にさらに長辺スカート１３を備えている。また、内部磁気シールド１０は、台形状である短辺側板１０ｂの下底側にさらに短辺スカート１４を備えている。
【００４０】
一対の長辺フレーム７ａおよび一対の短辺フレーム７ｂの外側壁面には、内部磁気シールド１０をパネルに取り付けるための板バネ状の弾性支持体（図示せず）が取り付けられている。
【００４１】
図３は本実施の形態の磁気シールド構体１５の構成を示す斜視図である。磁気シールド構体１５は、内部磁気シールド１０とシャドウマスク６とフレーム７とを備えていて、図２に示した分解斜視図を組み合わせたものである。
【００４２】
フレーム７の長辺フレーム７ａは例えば厚さ１．４ｍｍのＦｅ−Ｃｒ−Ｍｏ材からなる。また、フレーム７の短辺フレーム７ｂは例えば厚さ１５ｍｍのＦｅ−Ｃｒ−Ｍｏ材からなる。また、シャドウマスク６は例えば厚さ０．１ｍｍのＦｅ−Ｍｎ−Ｎｌ材からなる。また、内部磁気シールド１０は例えば厚さ０．１５ｍｍの軟鋼材から構成されている。それぞれの比透磁率は、長辺フレーム７ａは１３０、短辺フレーム７ｂは２５０、シャドウマスク６は５００、内部磁気シールド１０は１０００である。
【００４３】
図４に図３のＡ−Ａ’矢視断面図を示す。長辺フレーム７ａは略Ｌ字状であり、フランジ部１６を有する。フランジ部１６は、長辺フレーム７ａのうちシャドウマスク６と略平行に配置されている個所である。長辺フレーム７ａにおいて、シャドウマスク６が架張される側の自由端７ｄとは反対側の端部にフランジ部１６は設けられていて、フランジ部１６は管軸（Ｚ軸）と垂直な平面の平板で構成される。長辺スカート１３は、長辺フレーム７ａの側壁７ｃに平行でパネル（図示せず）側、すなわち、図３において下側に延びている。長辺スカート１３の先端部１３ａは、シャドウマスク６よりパネル（図示せず）の逆側（電子銃（図示せず）側）、すなわち、図４において上側に存在する。また、長辺スカート１３の先端部１３ａとシャドウマスク６の図４における下側の面との間の管軸方向（Ｚ軸方向）に沿った距離をｄとすると、距離ｄは６ｍｍ以下である。このような構成とした理由について、図６を参照して以下に説明する。
【００４４】
図６は、図４に示す長辺スカート１３の先端部１３ａとシャドウマスク６の図４における下側の面との間の管軸方向（Ｚ軸方向）に沿った距離ｄを変えて、図７に示す画面７０のＮＳ部７３に到達する電子ビーム軌道上のＹ軸方向の磁束密度分布Ｂｙの積分値を測定した測定結果を示したグラフである。
【００４５】
図６に示すように、距離ｄが６ｍｍ以下になるとＢｙの積分値の絶対値が急激に大きくなることが分かる。従って、距離ｄを６ｍｍ以下とすることにより、上述の（１）式におけるＢｚ項：（Ｂｚ×Ｖｙ）の影響を小さくするためのＢｙ項：（Ｂｙ×Ｖｚ）を大きくすることができる。つまり、距離ｄを６ｍｍ以下とすることにより、電子ビーム１１の軌道ずれを低減する効果を急激に高めることができる。
【００４６】
なお、長辺スカート１３の先端部１３ａをシャドウマスク６の図４における下側の面よりもパネル（図示せず）側へさらに延長した構造であっても構わない。但し、図６から分かるように、長辺スカート１３の先端部１３ａをシャドウマスク６の図４における下側の面よりもパネル（図示せず）側へさらに延長しても（この場合、距離ｄは０よりも小さい）磁束密度分布Ｂｙの積分値は変化しない。つまり、内部磁気シールド１０の電子銃８側端部の磁極を強める効果は飽和している。なお、長辺スカート１３の先端部１３ａをシャドウマスク６の図４における下側の面よりもパネル（図示せず）側へさらに延長する場合、構造上不都合が生じない範囲までしか延長できないことは説明するまでもない。
【００４７】
また、図４に示すように、内部磁気シールド１０の長辺スカート１３は、長辺フレーム７ａの側壁７ｃに接合されていることが好ましい。溶接はスポット溶接などを用いることができる。長辺フレーム７ａとシャドウマスク６は溶接により接合されている。そのため、長辺スカート１３が長辺フレーム７ａの側壁７ｃと接合されることにより、長辺スカート１３とシャドウマスクマスク６とは、長辺フレーム７ａを介して磁気的に接続されることになる。したがって、内部磁気シールド１０内の磁束がフレーム７を介してシャドウマスク６に流れやすくなり、磁気シールド構体１５全体の磁束の流れが強まる。そのため、図１に示す内部磁気シールド１０の電子銃８側端部における磁極を強くすることができる。これにより、図７における画面７０のＮＳ部７３およびＮＮＥ部７２に到達する電子ビーム軌道上においても、内部磁気シールド１０の長辺スカート１３を長辺フレーム７ａと接合しない場合と比べ、上述の（１）式のＢｚ項：（Ｂｚ×Ｖｙ）の影響を小さくするためのＢｙ項：（Ｂｙ×Ｖｚ）を大きくすることができる。
【００４８】
次に、本実施の形態の陰極線管１において、画面ＮＳ部に到達する電子ビーム軌道上の磁束密度分布の測定結果について図５を参照して説明する。なお、内部磁気シールドの長辺スカートは長辺フレームに接合されているものを用いた。
【００４９】
図５は、図１に示す本実施の形態の陰極線管１の磁気シールド構体１５に対して地磁気の管軸成分（Ｚ軸成分）を付与して、図７に示す画面７０のＮＳ部７３に到達する電子ビーム１１軌道上のＹ軸方向の磁束密度分布Ｂｙを測定した結果を示すグラフである。また、図５は図１０と同様に、シャドウマスクから測った管軸方向における電子ビーム軌道上の位置（％）と地磁気の管軸成分ＢZ0に対する磁束密度Ｂｙの比率（Ｂｙ／ＢZ0×１００）（％）を示している。なお、図５において、比較例として、特許文献１の構成における陰極線管の磁束密度分布（従来例１）を破線で示し、特許文献２の構成における陰極線管の磁束密度分布を一点鎖線で示した。
【００５０】
この測定結果によれば、本実施の形態の陰極線管は従来例１、２と比較して、画面ＮＳ部に到達する電子ビーム軌道上の負側の磁束密度の絶対値を大きくすることができることが分かった。特に、図１の内部磁気シールド１０の電子銃８側端部（位置が約８０（％）の箇所）においてその効果が大きいことも分かる。
【００５１】
また、図４に示すように、長辺フレーム７ａのフランジ部１６は、その上面が内部磁気シールド１０と接触しない構造であることが好ましい。このように、フレーム７のフランジ部１６と内部磁気シールド１０とを非接触とすることにより、フランジ部１６から電子ビーム軌道上の空間へ磁束が漏れ出すことを防止することができる。
【００５２】
以下に図１に示す本実施の形態の陰極線管１を動作させた場合の具体的なミスランディング量の測定結果を示す。ここで、横方向（Ｘ軸方向）磁界を印加したときの、図７に示した画面７０のコーナ部７１のミスランディング量（以下、横磁界コーナという）と、管軸方向（Ｚ軸方向）磁界を印加したときの図７に示した画面７０のコーナ部７１のミスランディング量（以下、管軸磁界コーナという）と、管軸方向磁界を印加したときの図７に示した画面７０のＮＳ部７３のミスランディング量（以下、管軸磁界ＮＳという）と、管軸方向磁界を印加したときの図７に示した画面７０のＮＮＥ部７２のミスランディング量（以下、管軸磁界ＮＮＥという）とを示す。なお、この測定においては２９型のカラー陰極線管を用いた。
【００５３】
それぞれ地磁気が５０μＴの環境において、従来の横磁界コーナ、管軸磁界コーナ、管軸磁界ＮＳおよび管軸磁界ＮＮＥは、それぞれ２０μｍ、２０μｍ、３５μｍおよび３５μｍであった。しかし、本実施の形態の陰極線管１においては、それぞれ地磁気が５０μＴの環境において、横磁界コーナ、管軸磁界コーナ、管軸磁界ＮＳおよび管軸磁界ＮＮＥは、２０μｍ、１５μｍ、２８μｍおよび２８μｍであった。このように、従来の陰極線管に比べて本実施の形態の陰極線管では、管軸磁界コーナ、管軸磁界ＮＳおよび管軸磁界ＮＮＥにおいて、ミスランディング量が減少している。この結果より、本実施の形態の陰極線管１によれば、電子ビーム１１のミスランディング量を少なくし、色ずれの発生を抑えることができることがわかる。
【００５４】
なお、本実施の形態の陰極線管では、テンションマスクを搭載した陰極線管を用いたが、テンションを加えていないプレスタイプのマスク、いわゆるプレスマスクを搭載した陰極線管についても上記と同様の構成とすることで同様の効果を奏する。
【００５５】
また、本実施の形態においてフレームの材質は特に限定されず、例えば鉄系材料やインバー材などを用いればよい。また、本実施の形態では、例として軟鋼材からなる内部磁気シールドを用いたが、インバー材などの他の磁性体材料からなる内部磁気シールドを用いた陰極線管であってもよく、同様の効果を奏する。また、本実施の形態では２９型のカラー陰極線管を例として用いたが、その他の大きさの陰極線管であっても同様の構成とすることで、同様の効果を奏する。
【００５６】
なお、本実施の形態で具体的に示した、部品の材料や、構造は、あくまでも一例であり、本発明はこれらの具体例のみに限定されるものではない。
【産業上の利用可能性】
【００５７】
本発明の陰極線管は、テレビ受像機等の表示装置として有用である。
【図面の簡単な説明】
【００５８】
【図１】本発明の実施の形態に係る陰極線管の構成を示す、管軸を通る上下方向の断面図
【図２】本発明の実施の形態に係る磁気シールド構体の分解斜視図
【図３】本発明の実施の形態に係る磁気シールド構体の構成を示す斜視図
【図４】図３のＡ−Ａ´矢視断面図
【図５】本実施の形態に係る陰極線管および従来の陰極線管におけるシャドウマスクから測った電子ビーム軌道上の位置と地磁気の管軸成分に対する比率の関係を示すグラフ
【図６】本実施の形態に係る陰極線管における長辺スカートとシャドウマスクとの距離およびＹ軸方向の磁束密度分布の積分値の関係を示すグラフ
【図７】陰極線管の画面の位置を示すための模式図
【図８】従来の磁気シールド構体の構成を示す斜視図
【図９】図８のＢ−Ｂ´矢視断面図
【図１０】従来の陰極線管におけるシャドウマスクから測った電子ビーム軌道上の位置と地磁気の管軸成分に対する比率の関係を示すグラフ
【図１１】従来の他の磁気シールドとフレームとの構成を示す断面図
【符号の説明】
【００５９】
１  陰極線管
２  パネル
３  ファンネル
４  外囲器
５  蛍光体スクリーン
６  シャドウマスク
７  フレーム
７ａ  長辺フレーム
７ｂ  短辺フレーム
７ｃ  側壁
７ｄ  自由端
８  電子銃
９  偏向ヨーク
１０  内部磁気シールド
１０ａ  長辺側板
１０ｂ  短辺側板
１１  電子ビーム
１２  エレクトロンシールド
１３  長辺スカート
１３ａ  先端部
１４  短辺スカート
１５  磁気シールド構体
１６  フランジ部
７０  画面
７１  コーナ部
７２  ＮＮＥ部
７３  ＮＳ部
１００  磁気シールド構体
１０１、１１１  内部磁気シールド
１０２  長辺側板
１０３  短辺側板
１０４  開ロ部
１０５  切り欠き部
１０６、１１６  長辺スカート
１０７  短辺スカート
１０８、１１８  シャドウマスク
１０９、１１９  フレーム
１０９ａ、１１９ａ  側壁
１１０、１２０  フランジ部
【図１】
2005158600.tif 000003
【図２】
2005158600.tif 000004
【図３】
2005158600.tif 000005
【図４】
2005158600.tif 000006
【図５】
2005158600.tif 000007
【図６】
2005158600.tif 000008
【図７】
2005158600.tif 000009
【図８】
2005158600.tif 000010
【図９】
2005158600.tif 000011
【図１０】
2005158600.tif 000012
【図１１】
2005158600.tif 000013